(57)【要約】【課題】受信装置のアナログ回路において、充分な線形性が確保できない場合においても、高精度で受信信号の復号を可能にする受信装置等を提供すること。【解決手段】直交変調された変調波を受信する受信装置２００であって、前記変調波に正弦波を付加し、リアルゼロ信号を生成するリアルゼロ信号生成部２０５と、リアルゼロ信号から同相成分の信号及び直交成分の信号を抽出する同相・直交成分検波部２０６と、前記同相成分及び直交成分の信号がゼロとなる時刻の系列であるリアルゼロ系列を生成するリアルゼロ系列生成部２０７と、リアルゼロ系列から同相成分及び直交成分を再生する信号復元部２０８と、を備えることを特徴とする。【選択図】図４
2010187260.tif 000002
【特許請求の範囲】
【請求項１】
直交変調された変調波を受信する受信装置であって、
前記変調波に正弦波を付加し、リアルゼロ信号を生成するリアルゼロ信号生成部と、
前記リアルゼロ信号から同相成分の信号及び直交成分の信号を抽出する同相・直交成分検波部と、
前記同相成分及び直交成分の信号がゼロとなる時刻の系列であるリアルゼロ系列を生成するリアルゼロ系列生成部と、
前記リアルゼロ系列から同相成分及び直交成分を再生する信号復元部と、
を備えることを特徴とする受信装置。
【請求項２】
前記リアルゼロ信号生成部は、前記同相成分及び直交成分の信号がゼロとなる時刻を計測する時間ディジタル変換部を備えることを特徴とする請求項１に記載の受信装置。
【請求項３】
前記同相・直交成分検波部は、前記リアルゼロ信号をリミッタ増幅する増幅部を備えることを特徴とする請求項１又は２に記載の受信装置。
【請求項４】
前記同相・直交成分検波部は、前記リアルゼロ信号から抽出した同相成分の信号及び直交成分の信号をリミッタ増幅する増幅部を備えることを特徴とする請求項１から３の何れかに記載の受信装置。
【請求項５】
前記リアルゼロ信号の信号強度を検出する信号強度検出部を更に備え、
前記同相・直交成分検波部は、前記信号強度に基づいて同相成分及び直交成分の信号を補正する信号補正部を備えることを特徴とする請求項１から４の何れかに記載の受信装置。
【請求項６】
前記変調波をマルチキャリア変調したマルチキャリア信号を受信し、前記信号復元部は、マルチキャリア信号の各サブキャリア信号を復元することを特徴とする請求項１から５の何れかに記載の受信装置。
【請求項７】
直交変調された変調波を送信する送信装置と前記送信装置から送信される変調波を受信する受信装置からなる通信システムであって、
前記受信装置は、
前記変調波に正弦波が付加されたリアルゼロ信号から同相成分の信号及び直交成分の信号を抽出する同相・直交成分検波部と、
前記同相成分及び直交成分がゼロとなる時刻の系列であるリアルゼロ系列を生成するリアルゼロ系列生成部と、
前記リアルゼロ系列から同相成分及び直交成分を再生する信号復元部と、
を備えることを特徴とする通信システム。
【請求項８】
前記受信装置は、前記変調波に正弦波を付加し、リアルゼロ信号を生成するリアルゼロ信号生成部を更に備えることを特徴とする請求項７に記載の通信システム。
【請求項９】
前記送信装置は、前記変調波に正弦波を付加する基準信号付加部を更に備え、
前記受信装置は、前記正弦波を基に、リアルゼロ信号を生成するリアルゼロ信号生成部を更に備えることを特徴とする請求項７に記載の通信システム。
【請求項１０】
直交変調された変調波を受信する受信方法であって、
前記変調波に正弦波を付加し、リアルゼロ信号を生成するリアルゼロ信号生成過程と、
前記リアルゼロ信号から同相成分の信号及び直交成分の信号を抽出する同相・直交成分検波過程と、
前記同相成分及び直交成分がゼロとなる時刻の系列であるリアルゼロ系列を生成するリアルゼロ系列生成過程と、
前記リアルゼロ系列から同相成分及び直交成分を再生する信号復元過程と、
を備えることを特徴とする受信方法。
【請求項１１】
直交変調された変調波を送信する送信過程と前記送信装置から送信される変調波を受信する受信過程を有する通信方法であって、
前記受信過程は、
前記変調波に正弦波を付加し、リアルゼロ信号を生成するリアルゼロ信号生成過程と、
前記リアルゼロ信号から同相成分の信号及び直交成分の信号を抽出する同相・直交成分検波過程と、
前記同相成分及び直交成分がゼロとなる時刻からなるリアルゼロ系列を生成するリアルゼロ系列生成過程と、
前記リアルゼロ系列から同相成分及び直交成分を再生する信号復元過程と、
を備えることを特徴とする通信方法。
【発明の詳細な説明】
【技術分野】
【０００１】
本発明は、直交変調された変調波を受信する受信装置、通信システム、受信方法及び通信方法に関する。
【背景技術】
【０００２】
携帯電話などの無線通信システムでは、チャネル符号化された符号化ビットをＰＳＫ（Phase Shift Keying）、ＱＡＭ（Quadrature Amplitude Modulation）などの直交変調（ＩＱ変調）した信号を用いて通信される。
【０００３】
図２５は、シングルキャリア伝送において、直交変調された信号を受信する受信装置の一例である。受信装置９００は、低雑音増幅部９０２（ＬＮＡ：Low Noise Amplifier）と、周波数変換部９０３と、フィルタ部９０４と、利得制御増幅部９０５と、ＩＱ検波部９０６と、ＡＤ変換部９０７と、復調部９０８と、復号部９０９とを備えており、アンテナ部９０１が接続されている。
【０００４】
受信装置９００において、アンテナ部９０１を介して受信した直交変調された信号は、低雑音増幅部９０２で増幅された後、周波数変換部９０３でＩＱ検波が可能な周波数帯にダウンコンバートされる。前記周波数変換部９０３の出力信号は、フィルタ部９０４で高調波および信号の帯域外成分が除去されたのち、利得制御増幅部９０５（ＡＧＣアンプ）で、ＩＱ検波部９０６及びＡＤ変換部９０７で信号がクリッピングされない振幅に調整される。
【０００５】
ＩＱ検波部９０６では、利得制御増幅部９０５の出力信号から同相成分（実数成分）、直交成分（虚数成分）が取り出される。ＡＤ変換部９０７では、前記同相成分及び直交成分の信号各々が、アナログ信号からディジタル信号に変換される。復調部９０８では、ＡＤ変換部９０７から出力される同相成分及び直交成分のディジタル信号をデマッピングし、符号化ビットを算出する。最後に、復号部９０９で符号化ビットの復号処理を行う。
【０００６】
上述の受信装置９００において、低雑音増幅部９０２、周波数変換部９０３、フィルタ部９０４、利得制御増幅部９０５及びＩＱ検波部９０６はアナログ回路であり、復調部９０８及び復号部９０９はディジタル回路であり、ＡＤ変換部９０７で変換する構成となっている。
【０００７】
上述した受信装置９００のアナログ回路において、高精度でデータを復号するためには、直交変調波を増幅し、同相・直交成分を抽出し、デマッピング処理に入力されるまで、線形に処理する必要がある。つまり、信号波形をできるだけ歪なく再現するために、ＡＤ変換部９０７に入力するまで線形性のよい、ダイナミックレンジの広いアナログ回路が必要となる。また、ＡＤ変換部９０７ではディジタル処理で吸収できる量子化誤差を満たす電圧分解能が必要となり、利得制御増幅部９０５では、前記ＡＤ変換部９０７で信号がクリッピングしないように広範囲で、高精度な利得制御が必要となる。
【０００８】
また、携帯電話などの無線通信システムでは、受信装置は、小型、低消費電力であることが望ましく、受信装置を構成するアナログ回路とディジタル回路とを一体化した集積ＩＣがある。（例えば、非特許文献１参照）。集積ＩＣでは、素子の微細化によりＩＣチップ面積の縮小及び低電圧での高速動作が可能となり、受信装置の小型化、低消費電力化が可能となる。非特許文献１では、前記受信装置９００と各機能部位の構成順は異なるが、同様の機能を備えた部位でアナログ回路とディジタル回路とを一体化してＩＣ設計を行った例である。
【先行技術文献】
【非特許文献】
【０００９】
【非特許文献１】Wenjun Sheng, Ahmed Emira, and Edgar Sanchez-Sinencio, “CMOS RF Receiver System Designing: A Systematic Approach,” IEEE Trans. Circuits Syst.I, Vol.53, No.5, MAY 2006
【発明の概要】
【発明が解決しようとする課題】
【００１０】
しかしながら、集積ＩＣのアナログ回路では、微細化に伴う素子のばらつきが増大し、また電源電圧の低下に伴いＳＮＲ低下、低利得となる。その結果、受信装置のアナログ回路では、十分な線形性が確保できる動作範囲の縮小により、信号波形歪が生じ、受信信号の復号精度が劣化するという課題があった。また、ＡＤ変換においても、電源電圧の低下により、電圧分解能を向上させて量子化精度を向上させることが困難となるといった課題があった。
【００１１】
本発明は、上記問題に鑑みてなされたものであり、その目的は、受信装置のアナログ回路において、十分な線形性が確保できない場合においても、高精度で受信信号の復号を可能にする受信装置等を提供することにある。
【課題を解決するための手段】
【００１２】
上述した課題に鑑み、本発明の受信装置は、直交変調された変調波を受信する受信装置であって、前記変調波に正弦波を付加し、リアルゼロ信号を生成するリアルゼロ信号生成部と、前記リアルゼロ信号から同相成分の信号及び直交成分の信号を抽出する同相・直交成分検波部と、前記同相成分及び直交成分の信号がゼロとなる時刻の系列であるリアルゼロ系列を生成するリアルゼロ系列生成部と、前記リアルゼロ系列から同相成分及び直交成分を再生する信号復元部と、を備えることを特徴とする。
【００１３】
また、本発明の受信装置において、前記リアルゼロ信号生成部は、前記同相成分及び直交成分の信号がゼロとなる時刻を計測する時間ディジタル変換部を備えることを特徴とする。
【００１４】
また、本発明の受信装置において、前記同相・直交成分検波部は、前記リアルゼロ信号をリミッタ増幅する増幅部を備えることを特徴とする。
【００１５】
また、本発明の受信装置において、前記同相・直交成分検波部は、前記リアルゼロ信号から抽出した同相成分の信号及び直交成分の信号をリミッタ増幅する増幅部を備えることを特徴とする。
【００１６】
また、本発明の受信装置は、前記リアルゼロ信号の信号強度を検出する信号強度検出部を更に備え、前記同相・直交成分検波部は、前記信号強度に基づいて同相成分及び直交成分の信号を補正する信号補正部を備えることを特徴とする。
【００１７】
また、本発明の受信装置は、前記変調波をマルチキャリア変調したマルチキャリア信号を受信し、前記信号復元部は、マルチキャリア信号の各サブキャリア信号を復元することを特徴とする。
【００１８】
本発明の通信システムは、直交変調された変調波を送信する送信装置と前記送信装置から送信される変調波を受信する受信装置からなる通信システムであって、前記受信装置は、前記変調波に正弦波が付加されたリアルゼロ信号から同相成分の信号及び直交成分の信号を抽出する同相・直交成分検波部と、前記同相成分及び直交成分がゼロとなる時刻の系列であるリアルゼロ系列を生成するリアルゼロ系列生成部と、前記リアルゼロ系列から同相成分及び直交成分を再生する信号復元部と、を備えることを特徴とする。
【００１９】
また、本発明の通信システムにおいて、前記受信装置は、前記変調波に正弦波を付加し、リアルゼロ信号を生成するリアルゼロ信号生成部を更に備えることを特徴とする。
【００２０】
また、本発明の通信システムにおいて、前記送信装置は、前記変調波に正弦波を付加する基準信号付加部を更に備え、前記受信装置は、前記正弦波を基に、リアルゼロ信号を生成するリアルゼロ信号生成部を更に備えることを特徴とする。
【００２１】
本発明の受信方法は、直交変調された変調波を受信する受信方法であって、前記変調波に正弦波を付加し、リアルゼロ信号を生成するリアルゼロ信号生成過程と、前記リアルゼロ信号から同相成分の信号及び直交成分の信号を抽出する同相・直交成分検波過程と、前記同相成分及び直交成分がゼロとなる時刻の系列であるリアルゼロ系列を生成するリアルゼロ系列生成過程と、前記リアルゼロ系列から同相成分及び直交成分を再生する信号復元過程と、を備えることを特徴とする。
【００２２】
本発明の通信方法は、直交変調された変調波を送信する送信過程と前記送信装置から送信される変調波を受信する受信過程を有する通信方法であって、前記受信過程は、前記変調波に正弦波を付加し、リアルゼロ信号を生成するリアルゼロ信号生成過程と、前記リアルゼロ信号から同相成分の信号及び直交成分の信号を抽出する同相・直交成分検波過程と、前記同相成分及び直交成分がゼロとなる時刻からなるリアルゼロ系列を生成するリアルゼロ系列生成過程と、前記リアルゼロ系列から同相成分及び直交成分を再生する信号復元過程と、を備えることを特徴とする。
【発明の効果】
【００２３】
本発明によれば、受信装置のアナログ回路において十分な線形性が確保できず信号波形に歪が生じた場合においても、受信信号の復号精度の劣化を抑えることができる。
【００２４】
すなわち、直交変調された変調波を受信し、変調波に正弦波を付加して、リアルゼロ信号を生成する。そして、リアルゼロ信号から同相成分の信号及び直交成分の信号を抽出し、該同相成分及び直交成分の信号がゼロとなる時刻の系列であるリアルゼロ系列を生成し、生成されたリアルゼロ系列から同相成分及び直交成分を再生することとなる。これにより、低電源電圧で動作するアナログ回路においても、高精度な受信信号の直交検波を行うことができる。
【００２５】
また、本発明によれば、同相成分及び直交成分の信号がゼロとなる時刻を計測する時間ディジタル変換部を備えることにより、低電圧で動作するアナログ回路においても、高い量子化精度でアナログ信号をディジタル信号に変換することができ、消費電力の低減が可能となる。
【００２６】
また、本発明によれば、リアルゼロ信号をリミッタ増幅する増幅部を備えることにより、低電圧なアナログ回路で信号増幅を行うことができ、受信装置の低消費電力化が可能となる。
【００２７】
また、本発明によれば、リアルゼロ信号から抽出した同相成分の信号及び直交成分の信号をリミッタ増幅することにより、ベースバンドなどの低周波数帯で、低電圧な回路を用いて信号増幅を行うことができるので、搬送波周波数等の高周波における増幅部の増幅率を下げることができ、受信装置の低消費電力化が可能となる。
【００２８】
また、本発明によれば、リアルゼロ信号の信号強度を検出し、信号強度に基づいて同相成分及び直交成分の信号を補正することができる。これにより、受信信号強度、受信信号の帯域幅、リアルゼロ信号生成時に付加する正弦波の周波数によらず高精度で同相成分及び直交成分を再生することが可能となる。
【００２９】
また、本発明によれば、変調波をマルチキャリア変調したマルチキャリア信号を受信し、マルチキャリア信号の各サブキャリア信号を復元することとなる。これにより、ＰＡＰＲ（Peak to Average Power Ratio）が高いマルチキャリア変調された信号においても、低消費電力で高精度な復号が可能となる。
【図面の簡単な説明】
【００３０】
【図１】第１実施形態における送信装置の構成を説明するための図である。
【図２】第１実施形態における動作原理を説明するための図である。
【図３】第１実施形態における動作原理を説明するための図である。
【図４】第１実施形態における受信装置の構成を説明するための図である。
【図５】第１実施形態におけるリアルゼロ信号生成部の構成を説明するための図である。
【図６】第１実施形態における動作原理を説明するための図である。
【図７】第１実施形態におけるリアルゼロ信号生成部の構成を説明するための図である。
【図８】第１実施形態における同相・直交成分検波部の構成を説明するための図である。
【図９】第１実施形態におけるリアルゼロ信号生成部の構成を説明するための図である。
【図１０】第１実施形態における同相・直交成分検波部の構成を説明するための図である。
【図１１】第１実施形態におけるリアルゼロ系列生成部の構成を説明するための図である。
【図１２】第１実施形態における動作原理を説明するための図である。
【図１３】第１実施形態におけるゼロクロス時刻算出部の構成を説明するための図である。
【図１４】第１実施形態におけるゼロクロス時刻算出部の構成を説明するための図である。
【図１５】第１実施形態における動作原理を説明するための図である。
【図１６】第１実施形態における信号復元部の構成を説明するための図である。
【図１７】第２実施形態における受信装置の構成を説明するための図である。
【図１８】第２実施形態における同相・直交成分検波部の構成を説明するための図である。
【図１９】第３実施形態における送信装置の構成を説明するための図である。
【図２０】第３実施形態における動作原理を説明するための図である。
【図２１】第３実施形態における受信装置の構成を説明するための図である。
【図２２】第３実施形態における受信装置の構成を説明するための図である。
【図２３】第４実施形態における送信装置の構成を説明するための図である。
【図２４】第４実施形態における受信装置の構成を説明するための図である。
【図２５】従来の技術について説明するための図。
【発明を実施するための形態】
【００３１】
以下、図面を参照して本発明を実施するための最良の形態について説明する。
〔第１実施形態〕
第１実施形態における通信システムは、チャネル符号化された符号化ビットをＰＳＫ（Phase Shift Keying）、ＱＡＭ（Quadrature Amplitude Modulation）などの直交変調（ＩＱ変調）された信号をシングルキャリア伝送方式を用いて送信する送信装置と前記送信装置から出力される信号を受信する受信装置とを備え、前記受信装置は、リアルゼロ信号を用いて同相、直交成分を再生する。
【００３２】
図１は、第１実施形態における送信装置１００の構成を示す概略ブロック図である。送信装置１００は、符号部１０２と、コンスタレーションマッピング部１０３と、ＤＡ変換部１０４と、直交変調部１０５と、帯域フィルタ部１０６と、周波数変換部１０７と、電力増幅部１０８と、第１ローカル信号発生部１０９と、第２ローカル信号発生部１１０とを備え、アンテナ部１０１が接続されている。
【００３３】
送信装置１００において、符号部１０２は、図示しない上位レイヤを構成する装置から入力されるディジタル信号であるデータビットに対して誤り訂正符号化を行い、コンスタレーションマッピング部１０３に符号化ビットを出力する機能部である。
【００３４】
コンスタレーションマッピング部１０３は、符号部１０２から入力される符号化ビットを、変調多値数に基づいて、同相成分（実数成分、Ｉ）及び直交成分（虚数成分、Ｑ）にマッピングする機能部である。
【００３５】
図２に、符号化ビットがＱＰＳＫ（変調多値数：２ビット）で変調される場合のマッピング例を示す。例えば、符号部１０２から符号化ビット「００」が入力されると、コンスタレーションマッピング部１０３は、図２のマッピング規則に従い同相成分値ｉ１、直交成分値ｑ１を出力する。
【００３６】
次に、ＤＡ変換部１０４は、コンスタレーションマッピング部１０３から出力される同相成分と直交成分を各々ディジタル信号からアナログ信号に変換し、直交変調部１０５に出力する機能部である。
【００３７】
直交変調部１０５は、ＡＤ変換部１０４から入力される同相成分と直交成分に、第１ローカル信号発生部１０９から入力される搬送波を乗算することにより直交変調を行い、変調波を帯域フィルタ部１０６に出力する。詳細には、第１ローカル信号発生部１０９が生成する中心周波数ｆｂ１の正弦波を同相成分値と直交成分値に乗算し、前記直交成分値に乗算する正弦波は前記同相成分に乗算する正弦波からπ／２だけ位相がシフトしている。さらに、前記直交変調部１０５は、前記同相成分に正弦波が乗算された信号と前記直交成分に正弦波が乗算された信号を加算することで変調波を生成する。このｆｂ１は中間周波数（Intermediate Frequency：ＩＦ）とも呼ばれる。
【００３８】
帯域フィルタ部１０６は、直交変調部１０５から入力される変調波から帯域外輻射を除去し、中心周波数を含む所望帯域の変調波を抽出して周波数変換部１０７に出力する機能部である。
【００３９】
周波数変換部１０７は、第２ローカル信号発生部１１０が生成する正弦波を帯域フィルタ部１０６から入力される変調波に乗算することにより送信装置１００の送信周波数帯までアップコンバートする。送信装置１００の送信信号の搬送波周波数をｆｃとすると、第２ローカル信号発生部１１０が生成する正弦波の周波数ｆｂ２はｆｃ−ｆｂ１となる。このｆｃは、無線周波数（Radio Frequency：ＲＦ）とも呼ばれる。周波数変換部１０７から出力される変調波は、電力増幅部１０８で送信装置１００の仕様送信電力まで増幅され、アンテナ部１０１を介して送信される。送信装置１００の送信信号ｓ（ｔ）は、下式（１）で示される。
【数１】
2010187260.tif 000003
ここで、ａ（ｔ）は変調振幅、φ（ｔ）は変調位相である。
【００４０】
また、送信信号ｓ（ｔ）を複素包絡線ｅ（ｔ）により表示すると、下式（２）と示せる。
【数２】
2010187260.tif 000004
ここで、ｉ（ｔ）は同相成分値、ｑ（ｔ）は直交成分値である。また、ｊは虚数単位、Ｒ［ｘ］はｘの実部を表す。
【００４１】
図３は、直交変調された送信信号ｓ（ｔ）のスペクトルの例である。送信信号ｓ（ｔ）は、搬送波周波数ｆｃを中心に、帯域幅±ｆｍの変調波となる。
【００４２】
次に、図４は、本実施形態における受信装置２００の構成を示す概略ブロック図である。図示するように、受信装置２００は、低雑音増幅部２０２（ＬＮＡ：Low Noise Amplifier）と、帯域フィルタ部２０３と、利得制御増幅部２０４と、リアルゼロ信号生成部２０５（基準信号付加部）と、同相・直交成分検波部２０６と、リアルゼロ系列生成部２０７と、信号復元部２０８と、復調部２０９と、復号部２１０とを備え、アンテナ部２０１が接続されている。
【００４３】
受信装置２００において、低雑音増幅部２０２はアンテナ部２０１を介して受信した送信装置１００から送信された信号を増幅し、帯域フィルタ部２０３に出力する機能部である。
【００４４】
帯域フィルタ部２０３は、前記低雑音増幅部２０２から入力される信号のうち、所望帯域外の信号を除去して、所望帯域の変調波を抽出する機能部である。抽出された変調波は利得制御増幅部２０４に出力される。帯域フィルタ部２０３は、前記送信装置１００の送信信号を受信する場合、通過帯域幅は２×ｆｍとなり、中心周波数ｆｃを中心にｆｃ±ｆｍの帯域を抽出する。
【００４５】
利得制御増幅部２０４は、帯域フィルタ部２０３から入力された変調波の電力をリアルゼロ信号生成部２０５で信号処理できるレベルに増幅するとともに、リアルゼロ信号生成部２０５で付加される正弦波の信号電力より小さくなるように前記帯域フィルタ部から入力された信号の電力を調整する（詳細は後述）。利得制御増幅部２０４が出力する信号をｒ（ｔ）とすると、下式（３）と示せる。
【数３】
2010187260.tif 000005
ここで、Ａｐは低雑音増幅部２０２〜利得制御増幅部２０４までの所望帯域のトータルゲイン、ｈ（ｔ）は送信側と受信側の間の伝搬路係数である。
【００４６】
リアルゼロ信号生成部２０５は、利得制御増幅部２０４から入力された信号に正弦波を付加することによりリアルゼロ信号を生成する。図５は、リアルゼロ信号生成部２０５の構成を示す概略ブロック図である。
【００４７】
リアルゼロ信号生成部２０５は、加算部２２１と基準信号発生部２２２を備えて構成されている。基準信号発生部２２２は、周波数ｆａの正弦波ｒａ（ｔ）を生成する。加算部２２１は、利得制御増幅部２０４が出力した受信信号ｒ（ｔ）に正弦波ｒａ（ｔ）を付加することによりリアルゼロ信号ｒｚ（ｔ）を生成する。
【００４８】
受信信号ｒ（ｔ）は、その複素包絡線の最大値が、正弦波ｒａ（ｔ）の振幅より小さくなるように前記利得制御増幅部２０４で調整される。正弦波ｒａ（ｔ）の振幅をＡｕ、利得制御増幅部２０４が出力した受信信号ｒ（ｔ）の複素包絡線をｅｒ（ｔ）とすると、利得制御増幅部２０４は下式（４）を満たすように調整される。
【数４】
2010187260.tif 000006
【００４９】
ここで、正弦波ｒａ（ｔ）の周波数ｆａは、前記帯域フィルタ部２０３の通過帯域外であることが好ましい。つまり、前記帯域フィルタ部２０３の通過帯域が２×ｆｍとすると、ｆａ＜ｆｃ−ｆｍ、ｆａ＞ｆｃ＋ｆｍを満たすことが好ましい。また、正弦波ｒａ（ｔ）の周波数ｆａは、受信信号ｒ（ｔ）の搬送波周波数ｆｃに対して、ｆａ＜ｆｃ、ｆａ＞ｆｃのどちらでもよい。図６は、ｆａ＜ｆｃにおいて、加算部２２１が出力するリアルゼロ信号のスペクトルである。
【００５０】
加算部２２１が出力するリアルゼロ信号ｒｚ（ｔ）は、下式（５）で示される。以下では、簡単のため、Ａｐ×ｈ（ｔ）＝１とする。すなわち、ｅｒ（ｔ）＝ｅ（ｔ）となる。また、以下では、正弦波ｒａ（ｔ）の周波数ｆａは、通過帯域のぎりぎりに設定され、ｆａ＝ｆｃ−ｆｍの場合を示す。
【数５】
2010187260.tif 000007
ここで、φａは正弦波ｒａの位相とする。
【００５１】
また、リアルゼロ信号ｒｚ（ｔ）を複素表示すると、下式（６）と示せる。
【数６】
2010187260.tif 000008
【００５２】
図７は、リアルゼロ信号生成部の別の構成を示す概略ブロック図である。図７のリアルゼロ信号生成部２０５−１は、図５のリアルゼロ信号生成部２０５と比較して利得制御増幅部２２３を備えていることが異なる。利得制御増幅部２２３は、受信信号の信号強度情報に基づいて、基準信号発生部２２２から入力される正弦波の振幅Ａｕを調整する。詳細には、Ａｐ×ｈ（ｔ）に基づいて、上述した式（４）を満足するように振幅Ａｕを調整する。
【００５３】
したがって、リアルゼロ信号生成部２０５を、リアルゼロ信号生成部２０５−１に取り換えることにより正弦波の振幅Ａｕも調整することが可能となり、利得制御増幅部２０４は、より狭い動作範囲、かつ粗い精度での制御でよい。また、利得制御増幅部２２３のみで、上述した式（４）を満足するような制御を設定することにより、利得制御増幅部２０４を除去することができる。これらより、受信装置の消費電力の低減が可能となる。
【００５４】
なお、受信信号強度情報は、例えば、伝搬路推定（図には非表示）により算出した伝搬路推定値、受信装置に具備されたＲＳＳＩ（Received Signal Strength Indicator、図には非表示）により測定した受信信号強度などがある。
【００５５】
図４に戻り、同相・直交成分検波部２０６は、リアルゼロ信号生成部２０５から入力されるリアルゼロ信号ｒｚ（ｔ）から、同相成分（実数成分、Ｉ成分）及び直交成分（虚数成分、Ｑ成分）を取り出す。図８は同相・直交成分検波部２０６の構成を示す概略ブロック図である。同相・直交成分検波部２０６は、増幅部２３１と、帯域フィルタ部２３２と、乗算部２３３−１及び２３３−２と、低域フィルタ部２３４−１及び２３４−２と、信号発生部２３５と、位相シフト部２３６と、増幅部２３７−１及び２３７−２とを備えて構成されている。
【００５６】
増幅部２３１は、リアルゼロ信号生成部２０５から入力されるリアルゼロ信号を増幅するための機能部である。図９は、リアルゼロ信号ｒｚ（ｔ）を飽和増幅したときの複素平面における波形の変化を示している。点線は、リミッタ増幅によりリアルゼロ信号を飽和増幅した場合の同相・直交成分の軌跡を示す。実線は、上述した式（５）で示したｒｚ（ｔ）、（ただし、φａ＝０）がＩ−Ｑ平面上で描く信号点軌跡の一例である。黒丸は、リアルゼロ信号において同相成分が０（ゼロ）となる点である。白丸は、リアルゼロ信号において直交成分が０となる点である。つまり、リアルゼロ信号ｒｚ（ｔ）は、同相成分及び直交成分に対してゼロとなる点（リアルゼロ）を形成する。
【００５７】
リアルゼロ信号が飽和したとき、位相は不変でその振幅が一定値になる。このとき、同相成分ｉ（ｔ）と直交成分ｑ（ｔ）が０を横切るそれぞれのリアルゼロの時刻は不変である。よって、リアルゼロの瞬間の時刻はリミタ増幅に対して不変である。
【００５８】
本実施形態における受信装置２００では、直交変調された変調波の同相成分及び直交成分の検波は、リアルゼロ信号の同相成分ｉ（ｔ）と直交成分ｑ（ｔ）が０を横切る時刻を用いて行う。よってリアルゼロ信号の同相成分ｉ（ｔ）と直交成分ｑ（ｔ）が０を横切る時刻を正確に求められれば、信号波形は歪んでもよい。
【００５９】
したがって、前記増幅部２３１は線形領域が狭い増幅部でもよく、低消費電力化が可能となる。さらに、前記増幅部２３１は低電圧動作が可能なリミタ増幅するリミタ増幅部を用いることができ、受信装置２００の消費電力をさらに抑えることが可能となる。
【００６０】
帯域フィルタ部２３２は、増幅部２３１から入力されるリアルゼロ信号から不要な高調波を除去し、乗算部２３３−１及び２３３−２に出力する。
【００６１】
乗算部２３３−１は、帯域フィルタ部２３２から出力されるリアルゼロ信号と信号発生部２３５から出力される正弦波とを乗算する。信号発生部２３５は、受信信号の搬送波周波数をダウンコンバートし、かつ受信信号の同相成分及び直交成分を算出することが可能な周波数をもつ正弦波を生成する。本実施形態の受信装置２００では、ゼロＩＦ（Ｌｏｗ−ＩＦ）を用いた構成となっており、信号発生部２３５は周波数ｆｃの正弦波を生成する。
【００６２】
乗算部２３３−２は、帯域フィルタ部２３２から出力されるリアルゼロ信号と、位相シフト部２３６から出力される正弦波とを乗算する。位相シフト部２３６は、信号発生部２３５から出力される正弦波の位相をπ／２シフトする。
【００６３】
低域フィルタ部２３４−１は、乗算部２３３−１から入力される信号から、不要な高調波を除去する。低域フィルタ部２３４−２は、乗算部２３３−２から入力される信号から、不要な高調波を除去する。ここで、同相・直交成分検波部２０６から出力される（低域フィルタ部から出力される）同相成分ｉｚ（ｔ）及び直交成分ｑｚ（ｔ）は、下式（７）、（８）で示せる。ただし、簡単化のためφａ＝０としている。
【数７】
2010187260.tif 000009
【数８】
2010187260.tif 000010
ここで、ＬＰＦ［ｘ］は、ｘの低域フィルタ出力である。
【００６４】
増幅部２３７−１は、低域フィルタ部２３４−１が出力する同相成分ｉｚ（ｔ）を増幅する。また、増幅部２３７−２は、低域フィルタ部２３４−２が出力する直交成分ｑｚ（ｔ）を増幅する。
【００６５】
前記増幅部２３７−１及び増幅部２３７−２は、同相成分及び直交成分のリアルゼロを算出できる信号振幅まで増幅する。前記増幅部２３７−１及び増幅部２３７−２は、同相成分ｉｚ（ｔ）及び直交成分ｑｚ（ｔ）をリミッタ増幅などにより飽和増幅することが好ましい。前記増幅部２３７−１及び２３７−２により、低い周波数帯（ベースバンド帯）で飽和増幅させることで、搬送波周波数等の高周波における増幅部の増幅率を下げることができるので、受信装置の低消費電力化が可能となる。
【００６６】
前記増幅部２３７−１が同相成分ｉｚ（ｔ）を飽和増幅した信号ｖｉ（ｔ）及び前記増幅部２３７−２が直交成分ｑｚ（ｔ）を飽和増幅した信号ｖｑ（ｔ）は下式（９）、（１０）で示せる。
【数９】
2010187260.tif 000011
【数１０】
2010187260.tif 000012
【００６７】
図１０は、同相・直交成分検波部の別の構成を示す概略ブロック図である。同相・直交成分検波部２０６−１は、増幅部２７１と、波形整形部２７２−１及び２７２−２と、位相検波部２７３−１及び２７３−２と、低域フィルタ部２３４−１及び２３４−２と、信号発生部２７４と、位相シフト部２３６と、増幅部２３７−１及び２３７−２と、を備えて構成されている。
【００６８】
同相・直交成分検波部２０６−１は、図８の同相・直交成分検波部２０６から、増幅部２３１と、帯域フィルタ部２３２と、乗算部２３３−１及び２３３−２と、信号発生部２３５とに代えて、増幅部２７１と、波形整形部２７２−１及び２７２−２と、位相検波部２７３−１及び２７３−２と、信号発生部２７４とを備えることが異なる。以下、異なる部位を中心に説明する。
【００６９】
増幅部２７１は、リアルゼロ信号生成部２０５から入力されるリアルゼロ信号を飽和増幅する。リアルゼロ信号ｒｚ（ｔ）を飽和増幅した場合の増幅部２７１の出力信号ｕ（ｔ）は下式（１１）で示せる。ただし、以下、簡易化のために、φａ＝０の場合で示している。
【数１１】
2010187260.tif 000013
【００７０】
波形整形部２７２−１及び２７２−２は、増幅部２７１から入力された信号を整形して、矩形波を生成する。波形整形部２７２−１及び２７２−２は、例えば、インバータ回路（ＮＯＴ回路）などを用いる。
【００７１】
波形整形部２７２−１及び２７２−２が出力する信号をｕ’（ｔ）とすると、下式（１２）と示せる。波形整形部２７２−１及び２７２−２の出力信号は、一定振幅となり、その値を１とする。また、位相は、φｕ（ｔ）が保持される。
【数１２】
2010187260.tif 000014
ここで、短形関数ｒｅｃｔ（ｔ）は２πの周期である。
【００７２】
位相検波部２７３−１は、波形整形部２７２−１から入力される信号の位相と信号発生部２７４が出力する信号の位相とを比較し、波形整形部２７２−１から入力される信号から同相成分（Ｉ成分）を抽出する。
【００７３】
信号発生部２７４は、位相検波部２７３−１、２７３−２での基準信号となる矩形波を生成する。
【００７４】
位相検波部２７３−２は、波形整形部２７２−２から入力される信号の位相と信号発生部２７４が出力した基準信号を位相シフト部２３６でπ／２位相シフトした信号の位相とを比較し、波形整形部２７２−２から入力される信号から直交成分（Ｑ成分）を抽出する。例えば、位相検波部２７３−１、２７３−２は、排他的論理和回路（Ｅｘｃｌｕｓｉｖｅ  ＯＲ回路）がある。
【００７５】
低域フィルタ部２３４−１は、位相検波部２７３−１から入力される信号から、不要な高調波を除去し、増幅部２３７−１に出力する。また、低域フィルタ部２３４−２は、位相検波部２７３−２から入力される信号から、不要な高調波を除去し、増幅部２３７−２に出力する。
【００７６】
位相検波部２７３−１、２７３−２に入力される基準信号をｕｒ（ｔ）とすると、下式（１３）で示され、位相検波部２７３−１に入力される基準信号ｕｒ（ｔ）はφ０＝０、位相検波部２７３−１に入力される基準信号ｕｒ（ｔ）はφ０＝π／２となる。
【数１３】
2010187260.tif 000015
【００７７】
低域フィルタ部２３４−１の出力信号ｖ’ｉ（ｔ）及び低域フィルタ部２３４−２の出力信号ｖ’ｑ（ｔ）は、下式（１４）、（１５）で示される。
【数１４】
2010187260.tif 000016
【数１５】
2010187260.tif 000017
ここで、ｔｒｉ（ｘ）は幅πの正負三角波から成る周期が２πの三角形関数である。
【００７８】
低域フィルタ部２３４−１の出力信号ｖ’ｉ（ｔ）は、増幅部２３７−１で飽和増幅され、その出力信号ｖｉ（ｔ）は、下式（１６）で示される。また、低域フィルタ部２３４−２の出力信号ｖ’ｑ（ｔ）は、増幅部２３７−２で飽和増幅され、その出力信号ｖｑ（ｔ）は、下式（１７）で示される。
【数１６】
2010187260.tif 000018
【数１７】
2010187260.tif 000019
【００７９】
図４に戻り、リアルゼロ系列生成部２０７は、同相・直交成分検波部２０６から出力される同相成分の信号ｖｉ（ｔ）及び直交成分の信号ｖｑ（ｔ）がゼロとなる時刻（ゼロをクロスする時刻、リアルゼロとなる時刻）の系列（ゼロクロス系列）を算出する。図９において、同相成分が０（ゼロ）となる黒丸で示した点及び直交成分が０となる白丸で示した点の時刻を算出する。なお、この動作は、従来技術において、信号をアナログ信号からディジタル信号に変換する機能と、等価の機能にあたる。
【００８０】
同相成分ｖｉ（ｔ）のゼロクロス系列及び直交成分ｖｑ（ｔ）のゼロクロス系列は、下式（１８）、（１９）を満たす系列となる。同相成分ｖｉ（ｔ）はｉｚ（ｔ）を飽和増幅した信号であり、直交成分ｖｑ（ｔ）はｉｑ（ｔ）を飽和増幅した信号である。
【数１８】
2010187260.tif 000020
【数１９】
2010187260.tif 000021
【００８１】
リアルゼロ系列生成部２０７は、下式（２０）の同相成分のゼロクロス系列τｉ及び下式（２１）の直交成分のゼロクロス系列τｑを出力する。
【数２０】
2010187260.tif 000022
【数２１】
2010187260.tif 000023
【００８２】
なお、図１０に記載の同相・直交成分検波部２０６−１を適用した場合、同相成分ｖｉ（ｔ）のゼロクロス系列は、式（１６）において、φｕ（ｔ）＝±π／２となる時刻の系列であり、式（２０）と等しい系列となる。また、直交成分ｖｑ（ｔ）のゼロクロス系列も同様に、式（２１）と等しい系列となる。
【００８３】
図１１は、リアルゼロ系列生成部２０７の構成を示す概略ブロック図である。リアルゼロ系列生成部２０７は、ゼロクロス時刻算出部２４１（時間ディジタル変換部とも呼ぶ。）、クロック生成部２４２を備える。
【００８４】
ゼロクロス時刻算出部２４１は、クロック生成部２４２で生成したクロックを用いて、同相・直交成分検波部２０６から入力される同相成分ｖｉ（ｔ）及び直交成分ｖｑ（ｔ）から同相成分及び直交成分がゼロとなる時刻を計測し、その時刻をディジタル出力する。
【００８５】
図１２は、リアルゼロ系列生成部２０７がゼロクロス点を計測する動作である。同相成分ｖｉ（ｔ）又はｖｑ（ｔ）の信号をクロックによりサンプリングし（図１２では、クロックの立ち上がり点をサンプリング点としている）、サンプリングした点（図１２では、丸印で示した点）において、同相成分ｖｉ（ｔ）又はｖｑ（ｔ）の信号がプラスからマイナスに変化する点の時刻（ゼロクロス時刻、図１２では、黒丸で示したサンプリング点の時刻）を推定することによりゼロクロス点を算出する。例えば、基準時刻からの前記ゼロクロス時刻を算出する。
【００８６】
クロック生成部２４２が生成するクロックは、高時間分解能であることが好ましい。例えば、ディジタルコントロールオシレータとタイムディジタルコンバータを組み合わせた、ピコ秒オーダーの時間分解能をもつ高時間分解能のクロックが適用できる。このような技術としては、例えば、「Staszewski, et al. All-Digital TX Frequency Synthesizer and Discrete-Time  Receiver for Bluetooth Radio in 130-nm CMOS,” IEEE J. Solid-State Circuits, vol. 39, Issue 12, pp. 2278-2291, Dec. 2004.」がある。
【００８７】
ここで、ゼロクロス時刻算出部２４１の構成を示す概略ブロック図を図１３に示す。図１３は、遅延部２５１−１〜２５１−Ｎ、フリップフロップ部２５２−１〜２５２−Ｎ＋１、ゼロクロス時刻判定部２５３を備える。
【００８８】
遅延部２５１−１〜２５１−Ｎは、直列に接続されディレイラインを形成している。遅延部２５１−１〜２５１−Ｎは、入力された信号をτ遅延させた後、出力する。例えば、遅延部２５１−１〜２５１−Ｎとしてインバータ（ＮＯＴ回路）がある。
【００８９】
フリップフロップ部２５２−１〜２５２−Ｎ＋１は、同相・直交成分検波部２０６から入力される信号の立ち上がりタイミングで、クロック生成部２４２から入力されるクロック信号、あるいは前記クロック信号がいくつかの遅延部を通過した信号の値を出力する。例えば、フリップフロップ部２５２−１〜２５２−Ｎ＋１として、Ｄフリップフロップが適用できる。
【００９０】
ゼロクロス時刻判定部２４３は、フリップフロップ部２５２−１〜２５２−Ｎ＋１が出力した信号から、同相・直交成分検波部２０６から入力される信号がプラスからマイナスに変化する点の時刻を判定する。
【００９１】
クロック生成部２４２が生成するクロックを遅延部２５１−１に入力する。遅延部２５１−Ｎは、遅延部２５１−（Ｎ−１）から出力されるクロックが入力される。遅延部２５１−Ｎから出力されるクロックは、遅延部２５１−１に入力されるクロックからＮτ遅延している。フリップフロップ部２５２−ｎ（ｎ＝１、・・・、Ｎ）には、同相・直交成分検波部２０６から入力される同相成分ｖｉ（ｔ）又は直交成分ｖｑ（ｔ）と、遅延部２５１−（ｎ−１）から出力されるクロックが入力される。
【００９２】
フリップフロップ部２５２−ｎは、同相・直交成分検波部２０６から入力される同相成分ｖｉ（ｔ）又は直交成分ｖｑ（ｔ）が変化する点（マイナスからプラスに変化する点、あるいはプラスからマイナスに変化する点）において、遅延部２５１−（ｎ−１）から入力されるクロックを出力する。ゼロクロス時刻判定部２４３は、同相成分ｖｉ（ｔ）又は直交成分ｖｑ（ｔ）が変化する点の時刻までに、遅延部２５１−１〜２５１−Ｎによるディレイライン内を基準クロックのエッジがどこまで進んだかを図ることによりゼロクロス時刻を算出する。したがって、図１３のゼロクロス時刻算出部２４１では、時間分解能τでゼロクロス時刻を推定することができる。
【００９３】
図１４は、ゼロクロス時刻算出部２４１の別の構成を示す概略ブロック図である。ゼロクロス時刻算出部２４１−１は、ＡＤ変換部２８１、低域フィルタ部２８２、リアルゼロ時刻判定部２８３を備えて構成されている。
【００９４】
ＡＤ変換部２８１は、同相・直交成分検波部２０６から入力される同相成分ｖｉ（ｔ）及び直交成分ｖｑ（ｔ）をアナログ信号からディジタル信号に変換する。この場合には、増幅部２３７−１、２３７−２は低域フィルタ２３４−１、２３４−２のアナログ波形のゼロクロス波形をほぼ保存して増幅する。前記同相成分ｖｉ（ｔ）及び直交成分ｖｑ（ｔ）はレベルが０付近の振幅はほぼ線形に増幅された信号であり、ＡＤ変換部２８１の入力範囲は従来技術におけるＡＤ変換より狭くすることができる。また、ＡＤ変換部２８１は、前記同相成分ｖｉ（ｔ）及び直交成分ｖｑ（ｔ）のゼロクロスする時刻を算出するためであり、従来技術におけるＡＤ変換より量子化の粗いＡＤ変換部でよい。よって、受信装置の低消費電力化が可能となる。
【００９５】
低域フィルタ部２８２は、ＡＤ変換部２８１により離散化された同相成分及び直交成分をなだらかになるように線形補間するディジタルフィルタである。リアルゼロ時刻判定部２８３は、低域フィルタ部２８２から入力された信号から同相成分及び直交成分がゼロとなる時刻を算出する。
【００９６】
図１５は、ＡＤ変換部２８１の出力信号が、低域フィルタ部２８２により線形補間され、リアルゼロとなる時刻の系列（リアルゼロ系列）が算出されるまでの信号を示す。図１５は、同相成分の信号が入力された場合の例である。
【００９７】
ＡＤ変換部２８１は、同相・直交成分検波部２０６から入力される同相成分ｖｉ（ｔ）を入力されるクロックに従って量子化し、図１５の黒丸で示した同相成分値を出力する。低域フィルタ部２８２は、前記同相成分値に基づいて線形補間を行い、図１５の白丸で示した同相成分値を出力する。つまり、図１５において実線で示した階段状になった波形を図１５において点線で示した波形に整形する。
【００９８】
リアルゼロ時刻判定部２８３は、図１５の白丸で示した同相成分値のうち、ゼロに近い同相成分値（図１５の斜線で示した同相成分値）の時刻ｔｉ０、ｔｉ１を出力する。
【００９９】
上述のように、ゼロクロス時刻算出部２４１−１は粗い精度でのＡＤ変換を用いることにより、クロック生成部２４２は水晶発振器などの比較的低速なクロックを用いた場合でも、高精度にゼロクロス時刻算出が可能となる。
【０１００】
図４に戻り、信号復元部２０８は、同相成分のゼロクロス系列τｉ及び直交成分のゼロクロス系列τｑから同相成分ｉｚ（ｔ）及び直交成分ｑｚ（ｔ）を復元する。図１６は、信号復元部２０８の構成を示す概略ブロック図である。図１６に示すように、信号復元部２０８は、信号再生部２６１と、低域フィルタ部２６２とを備えて構成されている。
【０１０１】
信号再生部２６１は、同相成分のゼロクロス系列τｉ及び直交成分のゼロクロス系列τｑが入力されると、下式（２２）、（２３）の演算により、同相成分ｉ＾ｚ（ｔ）及び直交成分ｑ＾ｚ（ｔ）を再生する。
【数２２】
2010187260.tif 000024
【数２３】
2010187260.tif 000025
ここで、Ａ０は不定の定数である。Ｍはサンプリング回数として、サンプリング区間ＴはＴ＝Ｍ／ｆｍとする。
【０１０２】
低域フィルタ部２６２は、信号再生部２６１が出力する同相成分ｉ＾ｚ（ｔ）及び直交成分ｑ＾ｚ（ｔ）からリアルゼロ算出のために付加した正弦波成分を除去し、送信信号の位相成分ｉ（ｔ）及び直交成分ｑ（ｔ）を抽出する。つまり、上述した式（１５）、（１６）において、周波数ｆｍの成分を除去する。なお、周波数ｆｍの成分を取り除く方法として、低域フィルタの代わりに、同相成分ｉ＾ｚ（ｔ）及び直交成分ｑ＾ｚ（ｔ）をフーリエ変換し、周波数ｆｍを取り除いた後、逆フーリエ変換することで実現することもできる。
【０１０３】
図４に戻り、復調部２０９は、信号復元部２０８から出力される同相成分及び直交成分のディジタル信号をデマッピングし、チャネル符号化されたデータビットを算出する。復号部２１０は前記チャネル符号化されたデータビットに対して誤り復号訂正を行い、データビットを出力する。
【０１０４】
なお、本実施形態の受信装置では、信号の電力あるいは振幅を調整する機能をリアルゼロ信号生成部２０５の前段に配置しているが（利得制御増幅部２０４）、リアルゼロ信号生成部２０５の後段に配置してもよい。例えば、同相・直交成分検波部２０６が具備する増幅部２３１に信号の電力あるいは振幅を調整する利得制御機能を備えることで実現できる。これにより、信号の非線形歪度合を調整することが可能になる。
【０１０５】
また、本実施形態の受信装置では、リアルゼロ信号生成部２０５が具備する基準信号発生部２２２と、同相・直交成分検波部２０６が具備する信号発生部２３５とは別々に信号発生を行っているが、前記２つの基準信号発生部の基準となる一つの信号発生部が出力する信号を逓倍することで２つの基準信号を生成することができる。
【０１０６】
また、基準信号発生部２２２と信号発生部２３５は、所定の共通となる周波数の整数倍であることが望ましい。例えば、前記２つの基準信号発生部の基準となる一つの信号発生部として、ＰＬＬ周波数シンセサイザ（Phase Locked Loop  周波数シンセサイザ）などが適用できる。
【０１０７】
また、本実施形態では、基準信号として正弦波を変調波に付加しているが、リアルゼロ系列が生成できれば、これに限らない。
【０１０８】
以上、第１実施形態による通信システムによれば、直交変調された信号をシングルキャリア伝送方式を用いて送信された信号を受信した場合、受信装置は、前記受信信号に正弦波を付加することでリアルゼロ信号を生成し、前記生成したリアルゼロ信号を用いて周波数変換、同相・直交位相検波したのち時間ディジタル変換することで同相成分、位相成分の再生を行う。つまり、同相成分及び位相成分がゼロとなる時刻（リアルゼロ）を用いて同相成分、位相成分の再生を行う。よって、前記受信装置のアナログ回路において、線形性が保持できず波形歪が生じた場合においても、データ復号精度の劣化を抑えることができる。さらに、本実施形態の通信システムでは、アナログ回路を低電圧で動作させることが可能となるので、消費電力を低く抑えることが可能となる。
【０１０９】
また、本実施形態の通信システムでは、シングルキャリア伝送方式で、直交変調された変調波が送受信される場合で説明したが、ＯＦＤＭ（Orthogonal Frequency Domain Multiplexing）などのマルチキャリア伝送方式においても適用可能である。直交変調された変調波がＯＦＤＭにより送受信される場合、送信装置は、直交変調された変調波をサブキャリア数個生成し、前記直交変調された変調波をＩＦＦＴ処理することで生成することが可能である。受信装置２００では、信号復元部２０８の出力信号に対してＦＦＴ処理を行い、ＦＦＴ処理後の信号から送信装置で変調波が配置されたサブキャリア信号の同相成分および直交成分を抽出して、復調部２０９に入力する。
【０１１０】
また、本実施形態の受信装置２００では、ゼロＩＦ（Ｌｏｗ−ＩＦ）を用いた構成で説明しているが、これに限らず、スーパーヘテロダイン方式など受信信号を中間周波数（ＩＦ）にダウンコンバートして同相・直交成分検波を行う方法においても、適用可能である。この場合、リアルゼロ信号生成部２０５は、ＲＦ、ＩＦのどちらにおいても配置することが可能である。
【０１１１】
〔第２実施形態〕
つづいて、第２実施形態について説明する。第２実施形態に記載の通信システムは、第１実施形態における通信システムから、変形型の受信装置を適用した場合の実施形態である。ここで、第２実施形態における送信装置は、第１実施形態に記載の送信装置１００と同様である。
【０１１２】
第２実施形態における受信装置８００の構成の概略ブロック図を図１７に示す。図示するように、受信装置８００は、低雑音増幅部２０２と、帯域フィルタ部２０３と、利得制御増幅部２０４と、リアルゼロ信号生成部２０５（基準信号付加部）と、信号強度検出部８０１と、同相・直交成分検波部８０６と、リアルゼロ系列生成部２０７と、信号復元部２０８と、復調部２０９と、復号部２１０とを備え、アンテナ部２０１が接続されている。
【０１１３】
第１実施形態の受信装置２００とは、同相・直交成分検波部２０６の替わりに同相・直交成分検波部８０６を備え、さらに信号強度検出部８０１を備えることが異なる。以下、第１実施形態と異なる部位を中心に説明する。
【０１１４】
信号強度検出部８０１（ＲＳＳＩ部）は、リアルゼロ信号生成部２０５から入力される信号の信号強度値を測定する。そして、測定された信号強度値は、同相・直交成分検波部８０６に出力される。
【０１１５】
同相・直交成分検波部８０６は、リアルゼロ信号生成部２０５から入力されたリアルゼロ信号ｒｚ（ｔ）から同相成分（実数成分、Ｉ成分）及び直交成分（虚数成分、Ｑ成分）を取り出し、前記同相成分及び直交成分にリアルゼロ信号の受信電界強度に基づいて補正を行う。
【０１１６】
図１８は、同相・直交成分検波部８０６の構成を示す概略ブロック図である。同相・直交成分検波部８０６は、増幅部２３１と、帯域フィルタ部２３２と、乗算部２３３−１及び２３３−２と、低域フィルタ部２３４−１及び２３４−２と、信号発生部２３５と、位相シフト部２３６と、重み制御部８２２と、信号補正部８２３−１及び８２３−２とを備えている。
【０１１７】
重み制御部８２２は、信号強度検出部８０１から出力される信号強度値に基づいて重み係数を算出する。信号補正部８２３−１は、前記重み係数に用いて乗算部２３３−１から出力される同相成分の信号を補正する。また、信号補正部８２３−２は、前記重み係数を用いて乗算部２３３−２から出力される直交成分の信号を補正する。
【０１１８】
次に、信号強度値に基づいた重み係数を用いて信号補正を行う一例を説明する。下式（２４）、（２５）は、信号強度検出部８０１が入力されたリアルゼロ信号ｒｚ（ｔ）の信号強度を検出する一例である。式（２４）は、リアルゼロ信号ｒｚ（ｔ）の２乗検波値をログアンプで増幅した信号の所定時間ＴＮの平均値を算出し、前記平均値に対する指数関数の出力値を電力値とした場合である。式（２５）は、リアルゼロ信号ｒｚ（ｔ）の２乗検波値を所定時間ＴＮにおいて平均した値の対数値を算出し、前記対数値に対する指数関数の出力値を電力値とした場合である。式（２４）、（２５）では２乗検波を用いているが、全波整流検波を用いて電力を算出することも可能である。
【数２４】
2010187260.tif 000026
【数２５】
2010187260.tif 000027
【０１１９】
重み制御部８２２は、前記信号強度検出部８０１から入力される信号強度値を用いて重み係数を算出する。下式（２６）は、式（２４）又は式（２５）の信号強度値から重み係数を算出する一例である。重み制御部８２２は、信号強度値が大きくなるほど、大きな重み係数を算出する。
【数２６】
2010187260.tif 000028
ここで、ＴＮ＝ＮΔｔ（Ｎは任意の整数）、ｔａ＝１、２、Ａｒは所定の係数である。
【０１２０】
信号補正部８２３−１は、乗算部２３３−１から出力される同相成分の信号に前記重み係数を乗算することにより信号の補正を行う。また、信号補正部８２３−２は乗算部２３３−２から出力される同相成分の信号に前記重み係数を乗算することにより信号の補正を行う。
【０１２１】
信号補正部８２３−１又は信号補正部８２３−２により補正された同相成分、又は直交成分の信号は、低域フィルタ部２３４−１又は低域フィルタ部２３４−１で不要な高調波を除去したのち、同相・直交成分検波部８０６から出力され、リアルゼロ系列生成部２０７においてリアルゼロ系列を生成する。
【０１２２】
上述のように、リアルゼロ信号から抽出した同相成分の信号及び直交成分の信号を、入力されるリアルゼロ信号の信号強度に基づいて重みづけすることにより、リアルゼロ系列生成部２０７で生成する位相成分及び直交成分のゼロクロス時刻系列の精度を向上させることが可能となる。
【０１２３】
なお、本実施形態では、乗算形検波方法を用いた同相・直交成分検波部２０６に信号強度に基づいた信号補正を適用した場合を説明したが、論理和形検波方法を用いた同相・直交成分検波部２０６−１に適用することも可能である。
【０１２４】
〔第３実施形態〕
つづいて、第３実施形態について説明する。第３実施形態における通信システムは、チャネル符号化されたデータビットをＰＳＫ（Phase Shift Keying）、ＱＡＭ（Quadrature Amplitude Modulation）などの直交変調（ＩＱ変調）された信号とリアルゼロの基準信号とを送信する送信装置と前記送信装置から出力される信号を受信する受信装置とを備え、前記受信装置は、リアルゼロ系列を用いて同相、直交成分を再生する。
【０１２５】
図１９は、第３実施形態における送信装置５００の構成を示す概略ブロック図である。送信装置５００は、符号部１０２と、コンスタレーションマッピング部１０３と、ＤＡ変換部１０４と、直交変調部１０５と、リアルゼロ信号生成部５０１と、帯域フィルタ部５０２と、周波数変換部１０７と、電力増幅部１０８と、第１ローカル信号発生部１０９及び第２ローカル信号発生部１１０とを備え、アンテナ部１０１が接続されている。すなわち、本実施形態における送信装置５００は、送信装置１００と比較して基準信号付加部５０１を備え、帯域フィルタ部１０６の代わりに帯域フィルタ部５０２を備えることが異なる。以下、異なる部位を中心に説明する。
【０１２６】
基準信号付加部５０１は、直交変調部１０５が出力する変調波に正弦波を付加する。基準信号付加部５０１は、リアルゼロ信号生成部２０５と同様の構成を備える。直交変調部１０５が出力する変調波に付加する正弦波ｒａ（ｔ）（基準信号）は、下式（２７）を満たす振幅Ａｕを設定することが望ましい。ｅ（ｔ）は直交変調部１０５が出力する変調波の複素包絡線である。
【数２７】
2010187260.tif 000029
【０１２７】
また、直交変調部１０５が出力する変調波に付加する正弦波ｒａ（ｔ）の周波数ｆａは、ｆａ＜ｆｂ１−ｆｍ、ｆａ＞ｆｂ１＋ｆｍ、（変調波の帯域幅２×ｆｍ）を満たす周波数に設定する。
【０１２８】
帯域フィルタ部５０２は、リアルゼロ信号生成部５０１が出力する信号から帯域外輻射を除去し、中心周波数を含む所望帯域の変調波と正弦波ｒａ（ｔ）を抽出する。図２０は、ｆａ＜ｆｂ１−ｆｍを満たす正弦波ｒａ（ｔ）がリアルゼロ信号生成部５０１で付加された場合において、帯域フィルタ部５０２が出力する信号である。
【０１２９】
帯域フィルタ部５０２の出力信号は、周波数変換部１０７で搬送波周波数帯ｆｃまでアップコンバートされ、電力増幅部１０８で所望送信信号電力まで増幅される。アンテナ部１０１から送信される信号ｓ（ｔ）は、下式（２８）で示される。
【数２８】
2010187260.tif 000030
Ａｐａは、帯域フィルタ部から電力増幅部までのトータルゲインである。
【０１３０】
また、アンテナ部１０１から送信される信号ｓ（ｔ）を複素表示すると、下式（２９）で示される。
【数２９】
2010187260.tif 000031
【０１３１】
なお、上述の送信装置５００では、中間周波数帯（ＩＦ帯）で変調波に基準信号を付加しているが、搬送波周波数帯（無線周波数帯、ＲＦ帯）に変調波をアップコンバートしてから基準信号を付加してもよい。リアルゼロ信号生成部５０１を周波数変換部１０７の後段に構成し、基準信号の周波数ｆａを、ｆａ＜ｆｃ−ｆｍ、ｆａ＞ｆｃ＋ｆｍを満たす周波数にすることで実現できる。
【０１３２】
図２１は、本実施形態における受信装置６００の構成を示す概略ブロック図である。図示するように、受信装置６００は、低雑音増幅部２０２（ＬＮＡ：Low Noise Amplifier）と、帯域フィルタ部２０３と、利得制御増幅部２０４と、リアルゼロ信号生成部６０５、同相・直交成分検波部２０６と、リアルゼロ系列生成部２０７と、信号復元部２０８と、復調部２０９と、復号部２１０とを備えており、アンテナ部２０１が接続されている。ここで、受信装置６００は、受信装置２００から、リアルゼロ信号生成部２０５に代えて、リアルゼロ信号生成部６０５を備えることが異なる。
【０１３３】
受信装置６００は、送信装置５００から直交変調された変調波と基準信号（送信装置で付加した正弦波ｒａ（ｔ））からなる信号を受信し、低雑音増幅部２０２で増幅され、帯域フィルタ部２０３で、所望帯域外の信号を除去する。帯域フィルタ部２０３は、直交変調された変調波と基準信号を通過する通過帯域幅である。
【０１３４】
リアルゼロ信号生成部８０５は、利得制御増幅部２０４から入力される信号に正弦波を付加することによりリアルゼロ信号を生成する。図２２は、リアルゼロ信号生成部８０５の構成を示す概略ブロックである。リアルゼロ信号生成部８０５は、加算部２２１と基準信号再生部６２２を備えている。基準信号再生部６２２は、利得制御増幅部２０４から入力される変調波と基準信号から、基準信号を取り出し、増幅することで基準信号を再生する。再生する基準信号は、下式（２７）を満たす振幅Ａｕを設定する。
【０１３５】
加算部２２１は、利得制御増幅部２０４から入力される信号と基準信号再生部６２２から入力する信号とを加算する。これにより、伝搬路の周波数選択性フェージングにより基準信号が落ち込んだ場合においても、リアルゼロ信号を生成することができる。また、送信装置５００の基準信号付加部５０１で付加する基準信号の振幅レベルを小さくする設定することが可能となり、基準信号を付加することによる送信信号の電力損失を抑えることができる。なお、受信装置６００が受信する信号が式（２７）を満たす場合は、リアルゼロ信号生成部６０５を省略することも可能である。
【０１３６】
帯域フィルタ部２０３の出力信号は、利得制御増幅部２０４で同相・直交成分検波部２０６で検波可能な信号電力に調整されたのち、同相・直交成分検波が行われる。
【０１３７】
以上、第３実施形態による通信システムによれば、送信装置は、直交変調された変調波にリアルゼロの基準信号となる正弦波を付加した信号（リアルゼロ信号）を送信する。受信装置は、前記生成したリアルゼロ信号を用いて周波数変換、同相・直交位相検波したのち、同相成分及び位相成分がゼロとなる時刻（リアルゼロ）を用いて同相成分、位相成分の再生を行う。よって、送信装置及び受信装置のアナログ回路において、線形性が保持できず波形歪が生じた場合においても、データ復号精度の劣化を抑えることができる。さらに、本実施形態の通信システムでは、アナログ回路を低電圧で動作させることが可能となるので、消費電力を低く抑えることが可能となる。
【０１３８】
〔第４実施形態〕
つづいて、第４実施形態について説明する。第４実施形態における通信システムは、チャネル符号化されたデータビットをＰＳＫ（Phase Shift Keying）、ＱＡＭ（Quadrature Amplitude Modulation）などの直交変調（ＩＱ変調）された信号をマルチキャリア伝送方式を用いて送信する送信装置と前記送信装置から出力される信号を受信する受信装置とを備え、前記受信装置は、リアルゼロ系列を用いて同相、直交成分を再生する。以下では、マルチキャリア伝送方式として、ＯＦＤＭ伝送方式（Orthogonal Frequency Domain Multiplexing）を用いた場合で説明する。
【０１３９】
図２３は、第４実施形態における送信装置３００の構成を示す概略ブロック図である。送信装置３００は、符号部１０２と、コンスタレーションマッピング部１０３と、ＩＦＦＴ部３０１と、ＤＡ変換部１０４と、直交変調部１０５と、帯域フィルタ部１０６と、周波数変換部１０７と、電力増幅部１０８と、第１ローカル信号発生部１０９及び第２ローカル信号発生部１１０とを備え、アンテナ部１０１が接続されている。送信装置３００は、第１実施形態の送信装置１００と比較してＩＦＦＴ部３０１を備えることが異なる。以下、異なる部位を中心に説明する。
【０１４０】
コンスタレーションマッピング部１０３は、符号部１０２から入力される符号化ビットを、変調多値数及び該変調多値数のマッピングルール（例えば、図２）に基づいて、同相成分（実数成分、Ｉ）及び直交成分（虚数成分、Ｑ）にマッピングし、同相成分値及び直交成分値を出力する。さらに、前記コンスタレーションマッピング部１０３は、同相成分値及び直交成分値各々を、ＯＦＤＭ変調のサブキャリア数個生成し、ＩＦＦＴ部３０１に出力する。
【０１４１】
ＩＦＦＴ部３０１は、コンスタレーションマッピング部１０３から入力される同相成分値及び直交成分値を、ＩＦＦＴポイント数個ある入力の何れかにマッピングし、ＩＦＦＴ処理により周波数領域から時間領域の信号に変換する。同相成分値ｉｋ、直交成分値ｑｋ（０≦ｋ≦Ｎｓｕｂ−１の整数）が入力されると、Ｎｓｕｂ個のｉｋ＋ｊ・ｑｋ（ｊは虚数）がＩＦＦＴ部の入力にマッピングされ、ＩＦＦＴ処理を行い、時間領域に変換された同相成分及び直交成分の信号を出力する。
【０１４２】
ＩＦＦＴ部３０１の出力信号は、ＤＡ変換部１０４でディジタル信号からアナログ信号に変換されたあと、直交変調部１０５で第１ローカル信号発生部１０９から入力される搬送波を乗算されることにより直交変調を行う。以後、第１の実施形態の送信装置１００と同様の処理を行った後、アンテナ部１０１を介して送信される。送信装置３００の送信信号ｓ（ｔ）は、下式（３０）で示される。
【数３０】
2010187260.tif 000032
ここで、ｆｋはｋ番目のサブキャリア周波数、ｆｃは搬送波周波数、ＴｓはＯＦＤＭシンボル区間、Ｐは送信電力、Ｍ＝Ｎｓｕｂ／２、Ｃｋはコンスタレーションマッピング部１０３から入力される同相成分及び直交成分であるｉｋ＋ｊ・ｑｋ（ただし、ｉ０＋ｊｑ０＝０とする。つまり、ＤＣ成分にはマッピングしていない。）である。
【０１４３】
なお、第１実施形態における複素包絡線ｅ（ｔ）は、符号化ビットから算出した所定のＣｋを一つの正弦波の位相にマッピングしたものであり、本実施形態では、Ｃｋを等周波数間隔に持つ複数の正弦波にマッピングしたことと等価である。
【０１４４】
次に、図２４は、本実施形態における受信装置４００の構成を示す概略ブロック図である。図示するように、受信装置４００は、送信装置３００が送信した信号を受信し、低雑音増幅部２０２（ＬＮＡ：Low Noise Amplifier）と、帯域フィルタ部２０３と、利得制御増幅部２０４と、リアルゼロ信号生成部２０５（基準信号付加部）と、同相・直交成分検波部２０６と、リアルゼロ系列生成部２０７と、信号復元部４０８と、復調部２０９と、復号部２１０とを備えており、アンテナ部２０１が接続されている。受信装置４００は、受信装置２００と比較して信号復元部２０８に代わり、信号復元部４０８を備えることが異なる。以下、異なる部位を中心に説明する。
【０１４５】
受信装置４００が式（３０）を受信し、リアルゼロ信号生成部２０５（基準信号付加部）において正弦波を付加したリアルゼロ信号は、下式（３１）で示せる。
【数３１】
2010187260.tif 000033
【０１４６】
さらに、式（３１）は、式（３２）と示せる。
【数３２】
2010187260.tif 000034
ここで、Δｆはサブキャリアの周波数間隔である。
【０１４７】
同相・直交成分検波部２０６は、式（３１）から同相成分（実数成分、Ｉ成分）及び直交成分（虚数成分、Ｑ成分）を取り出し、リアルゼロ系列生成部２０７で同相成分及び直交成分がゼロとなる時刻（ゼロクロス系列）を算出する。
【０１４８】
信号復元部４０８は、同相成分のゼロクロス系列τｉ及び直交成分のゼロクロス系列τｑから、ＯＦＤＭ変調された信号の各サブキャリア成分を復元する。また、信号復元部２０８は、同相成分のゼロクロス系列τｉ及び直交成分のゼロクロス系列τｑから、同相成分ｉｋ及び直交成分ｑｋを抽出し、復調部２０９に出力する。
【０１４９】
同相成分のゼロクロス系列τｉ及び直交成分のゼロクロス系列τｑから、リアルゼロ信号の同相成分ｉ＾ｚ（Ｚ）及び直交成分ｑ＾ｚ（Ｚ）を再生すると、式（３３）、（３４）と示せる。
【数３３】
2010187260.tif 000035
【数３４】
2010187260.tif 000036
【０１５０】
式（３３）、（３４）をＦＦＴ処理することで、各サブキャリアの同相成分ｉｋ及び直交成分ｑｋを抽出する。
【０１５１】
また、同相成分のゼロクロス系列τｉ及び直交成分のゼロクロス系列τｑから、同相成分ｉｋ及び直交成分ｑｋを抽出する別の方法として、リアルゼロ系列生成部２０７から入力される同相成分のゼロクロス系列τｉ及び直交成分のゼロクロス系列τｑから、リアルゼロ信号のフーリエ級数を満たすフーリエ係数を算出することで、送信信号の同相成分ｉｋ及び直交成分ｑｋからなるＣｋを抽出する。
【０１５２】
リアルゼロ系列からフーリエ係数を算出する方法として、例えば、リアルゼロ系列に対するフーリエ係数のルックアップテーブルを具備し、リアルゼロ系列生成部２０７から入力されるリアルゼロ系列を前記ルックアップテーブルに照らし合わせることでフーリエ係数を算出する。また別の方法として、ニュートンの公式に基づいた再帰的アルゴリズムを用いることによりリアルゼロ系列からフーリエ係数を算出することができる。
【０１５３】
以上、第４実施形態による通信システムによれば、直交変調された信号がＯＦＤＭ方式用いて送信された信号を受信した場合、受信装置は、前記受信信号に正弦波を付加することでリアルゼロ信号を生成し、前記生成したリアルゼロ信号を用いて周波数変換、同相・直交位相検波したのち時間ディジタル変換することで、ＯＦＤＭ変調された信号の各サブキャリア成分を抽出し、同相成分、位相成分の再生を行う。よって、ＯＦＤＭ変調された信号を受信する前記受信装置のアナログ回路において、線形性が保持できず波形歪が生じた場合においても、データ復号精度の劣化を抑えることができる。さらに、本実施形態の通信システムでは、アナログ回路を低電圧で動作させることが可能となるので、消費電力を低く抑えることが可能となる。
【０１５４】
以上、この発明の実施形態について図面を参照して詳述してきたが、具体的な構成はこの実施形態に限られるものではなく、この発明の要旨を逸脱しない範囲の設計等も特許請求の範囲に含まれる。
【０１５５】
なお、上述の実施形態では、マルチキャリア伝送方式として、ＯＦＤＭを適用した場合で説明したが、これにかぎらず、ＤＦＴ−Ｓｐｒｅａｄ−ＯＦＤＭ、ＭＣ−ＣＤＭＡ（Multi Carrier - Code Division Multiple Access）などにおいても適用することが可能である。
【符号の説明】
【０１５６】
１００  送信装置
１０１  アンテナ部
１０２  符号部
１０３  コンスタレーションマッピング部
１０４  ＤＡ変換部
１０５  直交変調部
１０６  帯域フィルタ部
１０７  周波数変換部
１０８  電力増幅部
１０９第１ローカル信号発生部、
１１０  第２ローカル信号発生部
２００  受信装置
２０１  アンテナ部
２０２  低雑音増幅部
２０３  帯域フィルタ部
２０４  利得制御増幅部
２０５  リアルゼロ信号生成部
２０６  同相・直交成分検波部
２０７  リアルゼロ系列生成部
２０８  信号復元部
２０９  復調部
２１０  復号部
【図１】
2010187260.tif 000037
【図２】
2010187260.tif 000038
【図３】
2010187260.tif 000039
【図４】
2010187260.tif 000040
【図５】
2010187260.tif 000041
【図６】
2010187260.tif 000042
【図７】
2010187260.tif 000043
【図８】
2010187260.tif 000044
【図９】
2010187260.tif 000045
【図１０】
2010187260.tif 000046
【図１１】
2010187260.tif 000047
【図１２】
2010187260.tif 000048
【図１３】
2010187260.tif 000049
【図１４】
2010187260.tif 000050
【図１５】
2010187260.tif 000051
【図１６】
2010187260.tif 000052
【図１７】
2010187260.tif 000053
【図１８】
2010187260.tif 000054
【図１９】
2010187260.tif 000055
【図２０】
2010187260.tif 000056
【図２１】
2010187260.tif 000057
【図２２】
2010187260.tif 000058
【図２３】
2010187260.tif 000059
【図２４】
2010187260.tif 000060
【図２５】
2010187260.tif 000061